(57)【要約】      （修正有）【課題】物体を挟み込む隙間の調節が容易であるとともに、隙間の保持機能を良好に維持できる装身具を提供する。【解決手段】装身具は、耳朶などを挟み込み可能な隙間２を形成する第１部材３及び第２部材４と、第１部材３と第２部材４とを回動可能に連結する連結部５と、第１部材３と第２部材４との回動を、複数の回動位置において解除可能に抑止する回動抑止部６とを有する。第１部材３と第２部材４との回動に伴って隙間２が段階的に変化する。この構成によれば、ネジを回す操作などが不要であるため、隙間２の調整が容易になる。また、全ての回動位置において連続的に回動を抑止する摩擦力を働かせる場合に比べて、摩擦による部品の劣化が生じ難くなるため、隙間２の保持機能の劣化が抑制され易くなる。【選択図】図６
2020179149.tif 000002
【特許請求の範囲】
【請求項１】
物体を挟み込み可能な隙間を形成する第１部材及び第２部材と、
前記第１部材と前記第２部材とを回動可能に連結する連結部と、
前記第１部材と前記第２部材との前記回動を、複数の回動位置において解除可能に抑止する回動抑止部とを有し、
前記第１部材と前記第２部材との前記回動に伴って前記隙間が変化する、
装身具。
【請求項２】
前記回動抑止部は、
前記第１部材に設けられた第１係合部と、
前記第２部材に設けられた複数の第２係合部とを含み、
前記複数の第２係合部の各々と前記第１係合部とが係合可能であり、
前記複数の第２係合部と前記複数の回動位置とが一対一に対応しており、
１つの前記回動位置において前記回動が抑止される場合、前記１つの回動位置に対応する１つの前記第２係合部と前記第１係合部とが係合し、
前記第１係合部及び前記第２係合部の少なくとも一方が弾性変形することにより、前記第１係合部と前記第２係合部との係合が解除される、
請求項１に記載の装身具。
【請求項３】
前記複数の第２係合部の各々は、前記連結部の回動軸に向かって凹んだ凹部を含み、
前記第１係合部の端部と前記凹部とが係合可能であり、
前記第１係合部の弾性変形に伴って、前記連結部の前記回動軸と前記第１係合部の前記端部との距離が変化することにより、前記第１係合部と前記凹部との係合が解除される、
請求項２に記載の装身具。
【請求項４】
前記第１係合部は、前記回動軸に垂直な仮想平面に沿って弾性変形可能な帯状の形状を持ち、
前記第１係合部の長手方向における一方の端部と前記凹部とが係合可能である、
請求項３に記載の装身具。
【請求項５】
前記複数の第２係合部の前記凹部は、前記回動軸を中心とする前記仮想平面上の仮想円の円周に沿って並んでいる、
請求項４に記載の装身具。
【請求項６】
前記第１部材は、
前記第１係合部が配置される溝と、
前記溝の内側における前記仮想平面に沿った前記第１係合部の移動を規制するとともに、前記溝の外側へ向かう前記第１係合部の移動を規制する規制部と、
前記規制部より前記凹部から離れた場所で前記第１係合部を前記第１部材に固定する固定部とを含む、
請求項４又は５に記載の装身具。
【請求項７】
前記第１係合部は、前記仮想平面に沿って伸びた第１貫通孔を持ち、
前記固定部は、前記第１貫通孔に挿通される第１固定ピンを含む、
請求項６に記載の装身具。
【発明の詳細な説明】
【技術分野】
【０００１】
本発明は、イヤリングなどの装身具に関するものである。
【背景技術】
【０００２】
耳朶に挟んで留めるイヤリングには、ネジ式やクリップ式、パイプ式、マグネット式などの様々なタイプがある。ネジ式のイヤリングは、耳朶を挟む隙間をネジで調節するものであり、挟み込みの強さを任意に調節することができる。他方、クリップ式やパイプ式のイヤリングは、バネの弾性力を利用して耳朶を挟み込み、マグネット式のイヤリングは、磁石の磁力を利用して耳朶を挟み込むため、ネジ式のイヤリングよりも着脱を簡単に行うことができる。
【０００３】
また、下記の特許文献には、ヒンジ部の回転に伴う摩擦力を大きくすることによって耳朶を挟む隙間を保持するイヤリングが記載されている。この種のイヤリングは、着脱を簡単に行うことができるという利点に加えて、弾性力や磁力を利用するイヤリングに比べて挟み込みの強さを調整し易いという利点がある。
【先行技術文献】
【特許文献】
【０００４】
【特許文献１】特開平１０−２７６８１０号公報
【発明の概要】
【発明が解決しようとする課題】
【０００５】
しかしながら、上記特許文献のようにヒンジ部の摩擦力を利用するイヤリングでは、ヒンジ部の部品の摩耗が生じ易いため、耳朶を挟む隙間を適切に保持できなくなり、イヤリングが脱落し易くなるという問題がある。
【０００６】
本発明はかかる事情に鑑みてなされたものであり、その目的は、物体を挟み込む隙間の調節が容易であるとともに、隙間の保持機能を良好に維持できる装身具を提供することにある。
【課題を解決するための手段】
【０００７】
本発明の一態様に係る装身具は、物体を挟み込み可能な隙間を形成する第１部材及び第２部材と、第１部材と第２部材とを回動可能に連結する連結部と、第１部材と第２部材との回動を、複数の回動位置において解除可能に抑止する回動抑止部とを有し、第１部材と第２部材との回動に伴って隙間が変化する。
この構成によれば、ネジを回す操作などが不要であるため、隙間の調整が容易になる。また、全ての回動位置において連続的に回動を抑止する摩擦力を働かせる場合に比べて、部品の摩耗等による隙間の保持機能の劣化が抑制され易くなる。
【発明の効果】
【０００８】
本発明によれば、物体を挟み込む隙間の調節が容易であるとともに、隙間の保持機能を良好に維持できる装身具を提供できる。
【図面の簡単な説明】
【０００９】
【図１】図１は、本実施形態に係る装身具の一例を示す正面図であり、隙間が狭まった状態を示す。
【図２】図２は、本実施形態に係る装身具の一例を示す正面図であり、隙間が広がった状態を示す。
【図３】図３は、本実施形態に係る装身具の一例を示す斜視図である。
【図４】図４は、本実施形態に係る装身具の一例を示す平面図である。
【図５】図５は、図１に示す装身具の断面図である。
【図６】図６は、図２に示す装身具の断面図である。
【図７】図７は、第１部材と第１係合部を示す分解斜視図である。
【図８】図８は、第２部材と板状部材と押さえ部材を示す分解斜視図である。
【発明を実施するための形態】
【００１０】
以下、本実施形態に係る装身具について図面を参照しながら説明する。図１及び図２は、本実施形態に係る装身具１の一例を示す正面図である。この図に例示した装身具１はイヤリングであり、耳朶を挟んで留めるための隙間２を段階的に調節することができる。図１は隙間２が狭まった状態を示し、図２は隙間２が広がった状態を示す。図３は、図２に示す装身具１の斜視図であり、図４は、図２に示す装身具１の平面図である。
【００１１】
なお、本明細書では、装身具１の各部分の相対的な位置関係を説明するため、互いに垂直な３つの方向（Ｘ方向、Ｙ方向、Ｚ方向）が規定される。Ｘ方向は逆向きの２つの方向Ｘ１及びＸ２を含み、Ｙ方向は逆向きの２つの方向Ｙ１及びＹ２を含み、Ｚ方向は逆向きの２つの方向Ｚ１及びＺ２を含む。以下、「Ｘ１」を後方、「Ｘ２」を前方、「Ｙ１」を左、「Ｙ２」を右、「Ｚ１」を上、「Ｚ２」を下の意味で使用する場合がある。これらの方向は、説明の便宜上規定されたものに過ぎず、装身具１の使用態様を限定するものではない。図１及び図２の正面図は、装身具１を前方から見た図である。図３の斜視図は、装身具１を前方右上から見た図である。図４の平面図は、装身具１を上方から見た図である。
【００１２】
本実施形態に係る装身具１は、図１等に示すように、耳朶を挟み込み可能な隙間２を形成する第１部材３及び第２部材４と、第１部材３及び第２部材４を回動可能に連結する連結部５とを有する。装身具１は、連結部５において第１部材３と第２部材４とを回動させると、この回動に伴って隙間２が変化する。
【００１３】
第１部材３及び第２部材４は、それぞれ前後方向から見て円弧状に湾曲している。第１部材３は左側に位置し、左側へ突き出るように湾曲している。第２部材４は右側に位置し、右側へ突き出るように湾曲している。第１部材３及び第２部材４は、連結部５によって互いの下側の端部が連結され、互いの上側の端部３０及び４０に隙間２が形成されている。連結部５の回動軸ＡＸは、前後方向（Ｘ方向）に対して平行である。装身具１は、図１及び図２に示すように、前後方向から見て概ねＣ字に似た形状を呈する。また装身具１は、図３及び図４に示すように、前後方向の厚みが上下方向の高さ及び横方向の幅に比べて小さい。
【００１４】
図５及び図６は、連結部５の回動軸ＡＸに対して垂直な仮想平面ＶＰ（図４）に沿って装身具１を切断した断面図である。図５は、図１に示すように隙間２の狭い状態の断面を示し、図６は、図２に示すように隙間２の広い状態の断面を示す。図７は、第１部材３を含んだ分解斜視図であり、図８は、第２部材４を含んだ分解斜視図である。
【００１５】
図５及び図６に示すように、第１部材３の右側の側面には仮想平面ＶＰに沿った溝３１が形成され、第２部材４の左側の側面には仮想平面ＶＰに沿った溝４１が形成される。図７に示すように、第１部材３の下側の端部には、仮想平面ＶＰを挟んで対向した一対の腕部３２Ａ，３２Ｂが設けられている。腕部３２Ａは前方側に位置し、腕部３２Ｂは後方側に位置する。一対の腕部３２Ａ，３２Ｂの間には、第２部材４の下側の端部が位置するとともに、後述する板状部材６０が位置する。連結部５は、この一対の腕部３２Ａ，３２Ｂと第２部材４の下側の端部とを貫通する軸部材５１を含む。軸部材５１は、第２部材４の軸貫通孔４５（図９）を貫通しており、腕部３２Ａの軸支持孔３２１Ａ（図７）と腕部３２Ｂの軸支持孔３２１Ｂ（図７）とによって両端が支持される。例えば軸部材５１は、一対の腕部３２Ａ，３２Ｂに対して溶接により固定される。
【００１６】
本実施形態に係る装身具１は、第１部材３と第２部材４との回動を、複数の回動位置において解除可能に抑止する回動抑止部６（図５及び図６）を有する。
【００１７】
例えば回動抑止部６は、図５及び図６に示すように、第１部材３に設けられた第１係合部６１と、第２部材４に設けられた複数の第２係合部６２とを含む。図５及び図６の例において、回動抑止部６は８つの第２係合部６２を含む。８つの第２係合部６２は、それぞれ第１係合部６１と係合可能である。この８つの第２係合部６２は、第１部材３と第２部材４との回動が抑止される８つの回動位置と一対一に対応する。１つの回動位置において回動が抑止される場合、この１つの回動位置に対応する１つの第２係合部６２と第１係合部６１とが係合する。
【００１８】
第１係合部６１と第２係合部６２との係合は、第１係合部６１及び第２係合部６２の少なくとも一方が弾性変形することにより解除される。図示した装身具１の例では、主として第１係合部６１の弾性変形により係合が解除される。なお、本実施形態の他の例では、第２係合部の弾性変形によって第１係合部と第２係合部との係合が解除されるようにしてもよい。
【００１９】
図５及び図６に示すように、８つの第２係合部６２の各々は、回動軸ＡＸに向かって凹んだ凹部６２１を含んでおり、第１係合部６１の端部６１１と凹部６２１とが係合可能となっている。８つの第２係合部６２の凹部６２１は、第１係合部６１の一方の端部６１１よりも回動軸ＡＸの近くに位置する。第１係合部６１の弾性変形に伴って、連結部５の回動軸ＡＸと第１係合部６１の端部６１１との距離が変化することにより、第１係合部６１と凹部６２１との係合が解除される。
【００２０】
図７に示すように、第１係合部６１は、仮想平面ＶＰに沿って弾性変形可能な帯状の形状を持つ。第１係合部６１の長手方向における一方の（右側の）端部６１１と凹部６２１とが係合可能である。
【００２１】
図５及び図６に示すように、８つの第２係合部６２の凹部６２１は、回動軸ＡＸを中心とする仮想平面ＶＰ上の仮想円ＶＣの円周に沿って概ね等間隔に並んでいる。図８に示すように、８つの第２係合部６２の凹部６２１は、板状部材６０の左側の側縁部６０１において歯車状に形成されている。第２係合部６２が形成される板状部材６０と、第２係合部６２に係合する第１係合部６１は、それぞれステンレス鋼などの硬度及び耐久性の高い材料を用いて形成される。
【００２２】
図８に示すように、板状部材６０は、回動軸ＡＸと平行に伸びた複数の第２貫通孔６０２（図８の例では２つの第２貫通孔６０２）を持つ。第２部材４は、回動軸ＡＸと平行に伸び、板状部材６０の２つ第２貫通孔６０２に挿通される２つの第２固定ピン４４と、この２つの第２固定ピン４４が設けられた基部４２とを含む。基部４２は、図８に示すように、第２部材４の下側の端部に設けられた板状の部分であり、基部４２の表側の面に２つの第２固定ピン４４が立設されている。
【００２３】
また図８に示すように、第２部材４は、板状部材６０の２つの第２貫通孔６０２から突出した２つの第２固定ピン４４の端部と溶接される押さえ部材４３を含む。押さえ部材４３には、前後方向に伸びた２つの孔４３１が形成されており、この２つの孔４３１に２つの第２固定ピン４４の端部が挿入されて溶接される。板状部材６０は、図３及び図４に示すように、基部４２と押さえ部材４３との間に挟まれた状態となる。基部４２の裏側の面が腕部３２Ｂの表側の面と対向し、押さえ部材４３の表側の面が腕部３２Ａの裏側の面と対向する。
【００２４】
第１係合部６１は、図３及び図４に示すように、第１部材３の溝３１の中に配置される。第１部材３は、溝３１の内側における仮想平面ＶＰに沿った第１係合部６１の移動を規制するとともに、溝３１の外側へ向かう第１係合部６１の移動を規制する規制部３３を有する（図７）。規制部３３は、図７の例において、溝３１の底面側に設けられた裏側規制部３３２と、溝３１の内側面において前後方向に向かい合うように立設された表側規制部３３１Ａ及び３３１Ｂとを含む。第１係合部６１は、図８において点線で示すように、裏側規制部３３２と表側規制部３３１Ａ及び３３１との間に挟まれるように配置される。第１係合部６１は、溝３１の底面側への移動を裏側規制部３３２によって規制され、溝３１の底面側に対して反対側への移動（溝３１の外側への移動）を表側規制部３３１Ａ及び３３１Ｂによって規制される。
【００２５】
また図７に示すように、第１部材３は、規制部３３より凹部６２１から離れた場所で第１係合部６１を第１部材３に固定する固定部３４を含む。図７の例において、第１係合部６１には、仮想平面ＶＰに沿って伸びた第１貫通孔６１３が形成されており、固定部３４は、この第１貫通孔６１３に挿通される第１固定ピン３４１を含む。第１係合部６１の第１貫通孔６１３は、凹部６２１と係合する第１係合部６１の端部６１１に対して反対側（左側）の端部６１２の近くに形成される。固定部３４の第１固定ピン３４１は、例えば図７に示すように、規制部３３の裏側規制部３３２の表面に立設される。
【００２６】
（まとめ）
上述した本実施形態に係る装身具１によれば、次に述べるような効果が得られる。
【００２７】
（１）装身具１は、耳朶などの物体を挟み込み可能な隙間２を形成する第１部材３及び第２部材４と、第１部材３と第２部材４とを回動可能に連結する連結部５と、第１部材３と第２部材４との回動を、複数の回動位置において解除可能に抑止する回動抑止部６とを有しており、第１部材３と第２部材４との回動に伴って隙間２が変化する。
【００２８】
この構成によれば、ネジ式イヤリングのようにネジを回す操作が不要であり、第１部材３と第２部材４とを回動させるだけで隙間２を調節できる。従って、隙間２の調節が容易になり、装身具１の着脱を非常に簡単に行うことができる。また、第１部材３と第２部材４との回動が複数の回動位置において段階的に抑止されるため、挟み込む物体（耳朶など）のサイズに合った所望の隙間２に調節することが可能となる。これにより、隙間２が狭すぎて装着感が低下したり、隙間２が広すぎて脱落し易くなったりすることを効果的に防止できる。
【００２９】
更に、この構成によれば、全ての回動位置において連続的に回動を抑止する摩擦力を働かせる場合（例えば特許文献１に記載のイヤリング）に比べて、部品の摩耗等による回動位置の保持機能の劣化が抑制され易くなる。すなわち、摩擦力によって連続的に回動を抑止する場合、全ての回動位置において摩擦力を働かせることから、部品の摩耗が進行するにつれて回動位置のずれが徐々に生じ易くなり、それに伴って装身具１が徐々に脱落し易くなる。これに対して、装身具１の回動抑止部６によれば、複数の回動位置の各々において第１部材３と第２部材４との回動が解除可能に抑止されるため、部品の摩耗等が一定の程度まで進行しない限り、各回動位置の回動を安定的に抑止できる。従って、隙間２の保持機能の劣化を効果的に抑制し、使用寿命を長くすることができる。
【００３０】
（２）回動抑止部６は、第１部材３に設けられた第１係合部６１と、第２部材４に設けられた複数の第２係合部６２（図５及び図６の例では８つの第２係合部６２）とを含んでおり、複数の第２係合部６２の各々と第１係合部６１とが係合可能である。第１部材３と第２部材４との回動が抑止される複数の回動位置と、複数の第２係合部６２とが一対一に対応しており、１つの回動位置において回動が抑止される場合、この１つの回動位置に対応する１つの第２係合部６２と第１係合部６１とが係合する。
【００３１】
この構成によれば、第１係合部６１と第２係合部６２との係合によって第１部材３と第２部材４との回動が抑止される。そのため、特許文献１に記載されたイヤリングのようにヒンジ部の部品の摩擦力によって回動を抑止する場合に比べて、第１部材３と第２部材４との回動位置を安定的に維持できる。
【００３２】
（３）第１係合部６１及び第２係合部６２の少なくとも一方が弾性変形することにより、第１係合部６１と第２係合部６２との係合が解除される。
【００３３】
この構成によれば、第１係合部６１及び第２係合部６２の少なくとも一方の弾性変形を生じさせない限り、第１係合部６１と第２係合部６２とが係合された状態となる。従って、比較的簡易な構造でありながら、第１係合部６１と第２係合部６２との係合状態を安定的に維持できる。
【００３４】
（４）複数の第２係合部６２の各々は、回動軸ＡＸに向かって凹んだ凹部６２１を含み、第１係合部６１の端部６１１と凹部６２１とが係合可能である。第１係合部６１の弾性変形に伴って、連結部５の回動軸ＡＸと第１係合部６１の端部６１１との距離が変化することにより、第１係合部６１と凹部６２１との係合が解除される。
【００３５】
この構成によれば、回動軸ＡＸに向かって凹んだ凹部６２１と第１係合部６１の端部６１１とが係合することにより、第１部材３と第２部材４との回動が抑止されるため、ヒンジ部の部品の摩擦力によって回動を抑止する場合に比べて、第１部材３と第２部材４との回動位置を安定的に維持できる。また、第１係合部６１が弾性変形することにより、第１係合部６１の端部６１１と回動軸ＡＸとの距離が変化し、第１係合部６１と凹部６２１との係合が解除されるため、比較的簡易な構造でありながら、第１部材３と第２部材４との回動の抑止とその解除を実現できる。
【００３６】
（５）第１係合部６１は、回動軸ＡＸに垂直な仮想平面ＶＰに沿って弾性変形可能な帯状の形状を持ち、第１係合部６１の長手方向における一方の端部６１１と凹部６２１とが係合可能である。
【００３７】
この構成によれば、帯状の形状を持つ第１係合部６１が仮想平面ＶＰに沿って弾性変形可能であるため、第１係合部６１の長手方向は仮想平面ＶＰに沿っている。また、第１係合部６１の長手方向における一方の端部６１１と凹部６２１とが係合可能であるため、第２係合部６２の凹部６２１は仮想平面ＶＰ上に位置している。従って、仮想平面ＶＰに垂直な方向（回動軸ＡＸに平行な方向）における装身具１の厚みを薄くすることができる。
【００３８】
（６）複数の第２係合部６２の凹部６２１は、回動軸ＡＸを中心とする仮想平面ＶＰ上の仮想円ＶＣの円周に沿って並んでいる（図５、図６）。
【００３９】
この構成によれば、第１部材３と第２部材４との回動が抑止される複数の回動位置において、第１係合部６１の端部６１１と係合する第２係合部６２の凹部６２１と回動軸ＡＸとの距離が概ね等しくなる。すなわち、回動が抑止される各回動位置において、係合状態にある第１係合部６１の端部６１１と第２係合部６２の凹部６２１との位置関係が概ね等しくなる。従って、第１係合部６１と第２係合部６２との係合の安定性が回動位置に応じてばらつくことを防止できる。
【００４０】
（６）第１部材３は、第１係合部６１が配置される溝３１と、溝３１の内側における仮想平面ＶＰに沿った第１係合部６１の移動を規制するとともに、溝３１の外側へ向かう第１係合部６１の移動を規制する規制部３３と、規制部３３より凹部６２１から離れた場所で第１係合部６１を第１部材３に固定する固定部３４とを含む。
【００４１】
この構成によれば、帯状の形状を持つ第１係合部６１が比較的長尺な場合でも、仮想平面ＶＰに沿った第１係合部６１の移動の範囲を規制部３３によって所望の範囲内に規制できる。そのため、第１係合部６１が第１部材３から外れることを防止しつつ、第１係合部６１において所望の弾性変形を生じさせることができる。
【００４２】
（７）第１係合部６１は、仮想平面ＶＰに沿って伸びた第１貫通孔６１３を持ち、固定部３４は、第１貫通孔６１３に挿通される第１固定ピン３４１を含む。
【００４３】
この構成によれば、第１係合部６１の第１貫通孔６１３に固定部３４の第１固定ピン３４１を挿通させることによって、第１係合部６１を第１部材３へ簡単に固定することができ、組み立て作業を簡易化できる。
【００４４】
（８）回動抑止部６は、複数の第２係合部６２の凹部６２１が側縁部６０１に形成された板状部材６０を含む。板状部材６０の材料は、第１部材３や第２部材４に比べて高硬度の合金（ステンレス鋼や、タングステンなどの超硬合金）である。板状部材６０は、回動軸ＡＸと平行に伸びた複数の第２貫通孔６０２を持つ。第２部材４は、回動軸ＡＸと平行に伸び、板状部材６０の複数の第２貫通孔６０２に挿通される複数の第２固定ピン４４と、この複数の第２固定ピン４４が設けられた基部４２と、押さえ部材４３とを含む。押さえ部材４３は、板状部材６０の複数の第２貫通孔６０２から突出した複数の第２固定ピン４４の端部と溶接される。板状部材６０は、基部４２と押さえ部材４３との間に挟まれる。
【００４５】
この構成によれば、第２部材４に使用される材料（例えば金や銅、白金などの貴金属）に比べて硬度が高く耐久性の高いステンレス鋼やタングステンなどの合金で作られた板状部材６０に、第２係合部６２の凹部６２１が形成される。そのため、装身具１の使用寿命を更に長くすることができる。また、板状部材６０の複数の第２貫通孔６０２から突出した複数の第２固定ピン４４の端部が押さえ部材４３と溶接されるため、貴金属などの材料で作られた第２部材４とステンレス鋼などの高硬度の合金で作られた板状部材６０とを直接溶接することが難しい場合でも、第２部材４に対して板状部材６０を確実に固定できる。
【００４６】
（９）第１部材３は、仮想平面ＶＰを挟んで対向した一対の腕部３２Ａ，３２Ｂを含んでおり、板状部材６０は、一対の腕部３２Ａ，３２Ｂの間に位置する。連結部５は、第１部材３の一対の腕部３２Ａ，３２Ｂと第２部材４とを貫通する軸部材５１を含む。
【００４７】
この構成によれば、第１部材３の一対の腕部３２Ａ，３２Ｂの間に板状部材６０が位置するため、仮想平面ＶＰに垂直な方向（回動軸ＡＸに平行な方向）における装身具１の厚みを薄くしつつ、回動抑止部６（第１係合部６１、第２係合部６２）を外側から見え難くくし、良好なデザイン性を得ることができる。
【００４８】
なお、本発明は上述した実施形態にのみ限定されるものではなく、種々のバリエーションを含んでいる。
【００４９】
上述した実施形態では、装身具の一例としてイヤリングを挙げたが、本発明はイヤリングに限定されるものではなく、例えば、首輪やネックレス、ネクタイピン、ブレスレット、アームバンド、リストバンド、腕時計、ベルト、バックル、アンクレット、ブローチ、ボタン、キーホルダー、バッジ、指輪、眼鏡などの装身具にも適用可能である。すなわち、本発明は、身体の各部位や衣服、身の回り品などに装着して使用される様々な装身具に広く適用可能である。
【符号の説明】
【００５０】
１…装身具、２…隙間、３…第１部材、３０…端部、３１…溝、３２Ａ，３２Ｂ…腕部、３２１Ａ，３２１Ｂ…軸支持孔、３２１ｂ…軸支持孔、３３…規制部３３、３３１Ａ，３３１Ｂ…表側規制部、３３２…裏側規制部、３４…固定部、３４１…第１固定ピン、４…第２部材、４０…端部、４１…溝、４２…基部、４３…押さえ部材、４３１…孔、４４…第２固定ピン、４５…軸貫通孔、５…連結部、５１…軸部材、６…回動抑止部、６０…板状部材、６０１…側縁部、６０２…第２貫通孔、６１…第１係合部、６１１…端部、６１２…端部、６１３…第１貫通孔、６２…第２係合部、６２１…凹部、ＡＸ…回動軸、ＶＰ…仮想平面、ＶＣ…仮想円
【図１】
2020179149.tif 000003
【図２】
2020179149.tif 000004
【図３】
2020179149.tif 000005
【図４】
2020179149.tif 000006
【図５】
2020179149.tif 000007
【図６】
2020179149.tif 000008
【図７】
2020179149.tif 000009
【図８】
2020179149.tif 000010